(57)【要約】【課題】  撮像素子により撮像し電子的記録媒体に記録された画像をカメラに取り付けられた画面上で再生する際に撮影時に簡易操作で撮影する画像に対しセキュリティ設定を行い、保護すること。【解決手段】  レリーズの操作である第一の操作ボタンを操作することにより撮像素子により撮像し、撮影された画像がカメラの構成要素である記録媒体に記録され、カメラに取り付けられた画面に記録された画像が再生可能なシステムであり複数の操作ボタンを有する電子カメラにおいて、レリーズの操作である第一の操作ボタンを操作の前後に、第一のボタンとは異なる第二の操作ボタンを併せて操作することで、撮影された画像を通常のレリーズの操作により撮影された画像と区別し記録することにより、画像再生時に保護する。【選択図】  図１
2005348299.tif 000002
【特許請求の範囲】
【請求項１】
レリーズの操作である第一の操作ボタンを操作することにより撮像素子により撮像し、撮影された画像がカメラの構成要素である記録媒体に記録され、カメラに取り付けられた画面に記録された画像が再生可能なシステムであり、第一の操作ボタンとは異なる第二の操作ボタンを有し、撮影時に撮影を行う第一の操作ボタンと同時に第二の操作ボタンが操作されることにより撮影された画像を通常の撮影動作にて撮影された他の画像と区別し、カメラ上で記録画像を再生する際に前記動作により撮影された画像を表示しないことにより再生時に画像保護が可能な電子カメラ。
【請求項２】
レリーズの操作である第一の操作ボタンを操作することにより撮像素子により撮像し、撮影された画像がカメラの構成要素である記録媒体に記録され、カメラに取り付けられた画面に記録された画像が再生可能なシステムであり、第一の操作ボタンとは異なる第二の操作ボタンを有し、撮影時に撮影を行う第一の操作ボタンと同時に第二の操作ボタンが操作されることにより撮影された画像を通常の撮影動作にて撮影された他の画像と区別し、カメラ上で記録画像を再生する際に、前記動作により撮影された画像に対し画像編集を行い一般的に認識不可能な画像として表示することにより再生時に画像保護が可能な電子カメラ。
【請求項３】
レリーズの操作である第一の操作ボタンを操作することにより撮像素子により撮像し、撮影された画像がカメラの構成要素である記録媒体に記録され、カメラに取り付けられた画面に記録された画像が再生可能なシステムであり、第一の操作ボタンとは異なる第二の操作ボタンを有し、撮影時に撮影を行う第一の操作ボタンと同時に第二の操作ボタンが操作されることにより撮影された画像を通常の撮影動作にて撮影された他の画像と区別し、カメラ上で記録画像を再生する際に、前記動作により撮影された画像を再生したときに限り、画像消去等のカメラ機能を無効とすることにより再生時に画像保護が可能な電子カメラ。
【請求項４】
レリーズの操作である第一の操作ボタンを操作することにより撮像素子により撮像し、撮影された画像がカメラの構成要素である記録媒体に記録され、カメラに取り付けられた画面に記録された画像が再生可能であり、撮影後に撮影された画像を表示するレックレビュー機能があり、第一の操作ボタンとは異なる第二の操作ボタンを有し、撮影後のレックレビュー中に第二の操作ボタンが操作されることにより撮影された画像を通常の撮影動作にて撮影された他の画像と区別し、カメラ上で記録画像を再生する際に前記動作が行われた画像を表示しないことにより再生時に画像保護が可能な電子カメラ。
【請求項５】
レリーズの操作である第一の操作ボタンを操作することにより撮像素子により撮像し、撮影された画像がカメラの構成要素である記録媒体に記録され、カメラに取り付けられた画面に記録された画像が再生可能であり、撮影後に撮影された画像を表示するレックレビュー機能があり、第一の操作ボタンとは異なる第二の操作ボタンを有し、撮影後のレックレビュー中に第二の操作ボタンが操作されることにより撮影された画像を通常の撮影動作にて撮影された他の画像と区別し、カメラ上で記録画像を再生する際に、前記動作が行われた画像に対し画像編集を行い一般的に認識不可能な画像として表示することにより再生時に画像保護が可能な電子カメラ。
【請求項６】
レリーズの操作である第一の操作ボタンを操作することにより撮像素子により撮像し、撮影された画像がカメラの構成要素である記録媒体に記録され、カメラに取り付けられた画面に記録された画像が再生可能であり、撮影後に撮影された画像を表示するレックレビュー機能があり、第一の操作ボタンとは異なる第二の操作ボタンを有し、撮影後のレックレビュー中に第二の操作ボタンが操作されることにより撮影された画像を通常の撮影動作にて撮影された他の画像と区別し、カメラ上で記録画像を再生する際に、前記動作が行われた画像を再生したときに限り、画像消去等のカメラ機能を無効とすることにより再生時に画像保護が可能な電子カメラ。
【請求項７】
請求項１から請求項５に記載の電子カメラにおいて、画像保護が行えることをカメラに取り付けられた画面に表示することで、撮影者に知らせることを特徴とする再生時に画像保護が可能な電子カメラ。
【請求項８】
請求項１から請求項５に記載の電子カメラにおいて、画像保護が行えることをファインダー内に表示することで、撮影者に知らせることを特徴とする再生時に画像保護が可能な電子カメラ。
【発明の詳細な説明】
【技術分野】
【０００１】
本発明は、撮像素子により撮像し、電子的記録媒体に記録された画像をカメラに取り付けられた画面上で再生する際に保護することが可能な電子カメラに関するものである。
【背景技術】
【０００２】
従来の電子カメラでは、電子カメラにより撮影され記録されている画像は、カメラを操作できる環境にある人物であれば、カメラを操作することによりカメラに取り付けられた画面上ですべての記録された画像が表示可能であり、表示された画像に対し再生時のカメラ側の機能である画像編集や画像消去等が可能であった。
【０００３】
その為、特開２００１−２３８１２４のように暗証番号入力によりカメラ自体の第三者による使用を制限する方法が提案されている。
【発明の開示】
【発明が解決しようとする課題】
【０００４】
しかしながら、カメラ自体に使用者の制限を設けるセキュリティシステムは、暗証番号入力のような制限を解除する為の操作を撮影の動作とは別に行う必要がありシャッターチャンスを逃す可能性がある。
【０００５】
本出願の発明の目的は、撮影者が撮影状態にありながら、簡易操作で撮影する画像に対してセキュリティ設定を可能にし記録された画像をカメラでの再生時に保護可能とすることである。
【課題を解決するための手段】
【０００６】
本発明は上記の課題を解決するものであり、複数の操作ボタンを有する電子カメラにおいて、レリーズの操作である第一の操作ボタンを操作する際に、第一のボタンとは異なる第二の操作ボタンを併せて操作することにより、撮影された画像を通常のレリーズの操作により撮影された画像と区別し記録することにより、カメラでの再生時に撮影時と同様の操作ボタンが操作されることで画像の表示を可能とすることで、カメラを操作できる環境にある人物であっても、通常の再生では画像が表示されない為、容易に画像加工や消去等の操作を行うことを不可能とする画像保護を特徴とする。
【発明の効果】
【０００７】
以上説明したように、本発明のように、複数の操作ボタンを有する電子カメラにおいて、レリーズの操作である第一の操作ボタンを操作する際に、第一のボタンとは異なる第二の操作ボタンを併せて操作する、または、撮影直後に第二の操作ボタンを操作することにより、撮影された画像を通常のレリーズの操作により撮影された他の画像と区別し記録することにより、カメラでの再生時に撮影時と同様の操作ボタンが操作されることで画像を表示を可能とすることで通常の再生では画像が表示されないため、記録されている画像を保護することが可能である。
【発明を実施するための最良の形態】
【０００８】
（第１の実施例）
図１は本発明の特徴を最もよく表す図画であり、電子カメラを背面から見た時の外観図である。同図において１−１はファインダー、１−２はカメラに付属する液晶モニター、１−３はレリーズボタンであり、１−４，１−５、１−６、１−７はカメラの機能を操作する為の操作ボタンＡ、Ｂ、Ｃである。
【０００９】
図２は本発明の撮影時のフローチャートである。撮影者はファインダー、または液晶モニターを見ながら被写体を撮影する。一般的にレリーズボタンが半押し状態のＳ１時に測距、測光等を行い最適な撮影条件を演算する。通常レリーズボタン以外の操作ボタンであるＡ、Ｂ、Ｃなどは例えばメニューや選択、決定などカメラの操作機能が割り当てられている。これらの操作ボタンはカメラがＳ１の状態にある時は上記のような通常の機能とは切り離された状態となっている。撮影者が撮影する画像を第三者により保護したいと判断した際に操作ボタンＡを押し、通常の撮影動作であるＳ２を行い撮影記録が行われる。その際に撮影者に撮影しようとする画像を保護しようとしていることを知らせる為にファインダー、または、液晶モニターに表示を行う。そして記録では、撮影時にＡが押されていることから、画像の通常の管理名に例えば、操作ボタンの名前であるＡを管理名の最初に加えた画像名称とすることで他の撮影画像とは区別する。レリーズボタン以外の操作ボタンが押されないままＳ１からＳ２の撮影動作が行われた場合は通常の記録が行われ、画像には通常の管理名がつけられる。
【００１０】
図３は本発明の再生時のフローチャートである。カメラの状態を画像再生の状態にする。記録された画像は１−２に表示され、使用者は表示されている画像に対し、再生時のカメラ機能である、画像編集や消去等が行える。本発明では、前記動作により区別されている画像は表示しない為、第三者が再生しても、画像編集や消去等も不可能であり画像が保護される。再生時に撮影者が自分の撮影した全画像をその場で表示したいときには、撮影時に操作したボタンと同じAボタンを押す。カメラはこの入力に基づき、画像の管理名にＡの着く区別された画像と他の画像を表示する。それにより、撮影者は各画像に対しカメラで可能な機能である画像編集や消去等を行う。
【００１１】
また、第２、第３の実施例として、区別された画像を再生する場合、カメラ側で画像を加工し撮影された画像が何であるか認識できないようにした上で表示したり、カメラ側の機能である画像編集や消去などのメニュー操作ボタンを無効にし表示する。それにより、使用者は表示されている画像に対する誤操作を防ぎ画像が保護される。
【００１２】
また、第４の実施例として、撮影および記録は通常と同様であり、撮影後にカメラに取り付けられた画面に撮影した画像を表示するレックッレビュー機能がある電子カメラにおいて、レックレビューの際に、第二の操作ボタンを押すことにより、撮影された画像を通常のレリーズの操作により撮影された画像と区別し記録する。その際に撮影者に撮影しようとする画像を保護しようとしていることを知らせる為にファインダー、または、液晶モニターに表示を行う。そして、再生時に使用者が通常の動作により再生を開始した場合、前記動作により区別された画像は画面上に表示しない。これにより、画像編集や消去等を行わないようにでき画像が保護される。
【００１３】
第５、第６の実施例として、第４の実施例の画像再生時に、カメラ側で画像を加工し撮影された画像が何であるか認識できないようにした上で表示したり、カメラ側の機能である画像編集や消去などのメニュー操作ボタンを無効にし表示する。それにより、使用者は表示されている画像に対する誤操作を防ぎ画像が保護される。
【図面の簡単な説明】
【００１４】
【図１】本発明の実施形態の電子カメラの外観図である。
【図２】本発明の実施形態の撮影時のフローチャートである。
【図３】本発明の実施形態の再生時のフローチャートである。
【符号の説明】
【００１５】
１−１  ファインダー
１−２  液晶モニター
１−３  レリーズボタン
１−４  十字操作ボタン
１−５  操作ボタンＡ
１−６  操作ボタンＢ
１−７  操作ボタンＣ
【図１】
2005348299.tif 000003
【図２】
2005348299.tif 000004
【図３】
2005348299.tif 000005